(57)【要約】【課題】作業の簡素化を図れる防振装置を提供する。【解決手段】建物の床Ａの振動低減機構Ｂを設け、振動低減機構Ｂを構成するに、重量調節物Ｃを支持自在な支持体４を設け、建物の床Ａ上を移動自在な移動手段５を支持体４に設け、その支持体４を建物の床Ａに対して位置固定自在な係止手段６を設け、移動手段５における建物の床Ａに設置する部分と支持体４との間で振動を吸収する振動吸収体７を設けてある。【選択図】図２
2009264023.tif 000002
【特許請求の範囲】
【請求項１】
建物の床の振動低減機構を設けた防振装置であって、
前記振動低減機構を構成するに、
重量調節物を支持自在な支持体を設け、前記建物の床上を移動自在な移動手段を前記支持体に設け、その支持体を前記建物の床に対して位置固定自在な係止手段を設け、前記移動手段における前記建物の床に設置する部分と前記支持体との間で振動を吸収する振動吸収体を設けてある防振装置。
【請求項２】
前記重量調節物が液体であり、前記支持体が前記液体を内部に貯留する容器である請求項１に記載の防振装置。
【請求項３】
前記振動吸収体が、前記支持体と前記移動手段との間に配設されるサスペンションである請求項１又は２に記載の防振装置。
【請求項４】
前記支持体としての容器内の空間を上下に仕切る仕切り部を設け、下側の空間に前記重量調節物を収容するとともに、上側の空間に植栽部を設けてある請求項１に記載の防振装置。
【発明の詳細な説明】
【技術分野】
【０００１】
本発明は、建物の床の振動低減機構を設けた防振装置に関する。
【背景技術】
【０００２】
従来、この種の防振装置では、床スラブに立設した支持脚にて建物の床を支持して２重床を構成し、建物の床の下側に振動低減機構としてのダイナミックダンパーを設置するものがあった（例えば、特許文献１参照。）。
説明を加えると、床における揺れが大きな部分（すなわち床における振動モードの腹の部分）にダイナミックダンパーを設置すると、ダイナミックダンパーにて床の振動を吸収するので、床に作用した振動が支持脚を通って床スラブに伝達するのを抑制できる。
【０００３】
【特許文献１】特開２００６−１９４０７３号公報
【発明の開示】
【発明が解決しようとする課題】
【０００４】
従来の防振装置においては、床スラブに立設した支持脚にて建物の床を支持して２重床を構成し、建物の床の下側にダイナミックダンパーを設置してあるので、例えば、床を施工した後に、ダイナミックダンパーを設置する場合において、例えば、床を支持脚から一旦取り外し、次に、床にダイナミックダンパーを設置し、その後、床を支持脚に取り付ける必要がある等、ダイナミックダンパーの設置作業が困難になるものであった。さらに、床に設置された重量物のレイアウトを変更したり重量物を撤去した後に、ダイナミックダンパーの設置位置を変更したりダイナミックダンパーを撤去する場合において、ダイナミックダンパーを設置するときと同様にダイナミックダンパーの設置位置を変更する作業やダイナミックダンパーの撤去作業が困難になるものであった。
【０００５】
本発明は、上記実状に鑑みて為されたものであって、その目的は、作業の簡素化を図れる防振装置を提供する点にある。
【課題を解決するための手段】
【０００６】
本発明の防振装置は、建物の床の振動低減機構を設けたものであって、その第１特徴構成は、前記振動低減機構を構成するに、重量調節物を支持自在な支持体を設け、前記建物の床上を移動自在な移動手段を前記支持体に設け、その支持体を前記建物の床に対して位置固定自在な係止手段を設け、前記移動手段における前記建物の床に設置する部分と前記支持体との間で振動を吸収する振動吸収体を設けてある点にある。
【０００７】
すなわち、例えば、床上の人間が支持体を横に押すと、支持体に設けた移動手段が床上を移動するので、床を施工した後、あるいは、床に設置された重量物のレイアウトを変更したり重量物を撤去した後であっても、振動低減機構を簡単に移動・撤去できる。また、係止手段にて支持体を床に対して位置固定することにより、振動低減機構を簡単に設置できる。さらに、重量調節物にて支持体に掛かる重量を調節できるので、重量をきめ細かく調節することで振動低減機構の防振効果を発揮し易くなる。
【０００８】
本発明の第２特徴構成は、上記第１特徴構成に加えて、前記重量調節物が液体であり、前記支持体が前記液体を内部に貯留する容器である点を特徴とする。
【０００９】
すなわち、前記重量調節物が液体であり、前記支持体が前記液体を内部に貯留する容器であるので、容器内の液体の量を増減することで重量をきめ細かく調節できることに加えて、液体のスロッシングによる防振効果も期待できる。
【００１０】
本発明の第３特徴構成は、上記第１又は第２特徴構成に加えて、前記振動吸収体が、前記支持体と前記移動手段との間に配設されるサスペンションである点を特徴とする。
【００１１】
すなわち、前記振動吸収体が、前記支持体と前記移動手段との間に配設されるサスペンションであるので、床の凹凸を支持体に伝えないためのサスペンションを床の振動を吸収する振動吸収体に兼用して構成の簡素化を図ることができる。
【００１２】
本発明の第４特徴構成は、上記第１特徴構成に加えて、前記支持体としての容器内の空間を上下に仕切る仕切り部を設け、下側の空間に前記重量調節物を収容するとともに、上側の空間に植栽部を設けてある点を特徴とする。
【００１３】
すなわち、前記支持体としての容器内の空間を上下に仕切る仕切り部を設け、下側の空間に前記重量調節物を収容するとともに、上側の空間に植栽部を設けてあるので、上述した作用効果を奏することに加えて美観性の向上を図ることができる。
【発明を実施するための最良の形態】
【００１４】
〔第１実施の形態〕
以下、本発明に係る防振装置について説明する。
図１〜図３に示すように、床スラブ１に立設した支持脚２にて建物の床Ａを支持して２重床が構成され、建物の床Ａの振動低減機構Ｂが設けられている。
【００１５】
そして、振動低減機構Ｂを構成するに、重量調節物Ｃとしての錘３を内部に収容自在な支持体としての容器４を設け、建物の床Ａ上を移動自在な移動手段としての前後一対の車輪５を容器４に設け、その容器４を建物の床Ａに対して位置固定自在な係止手段としての踏み込み式のフットロック６を設け、容器４と車輪５との間に配設される振動吸収体としてのサスペンション７を設けてある。そして、容器４内の空間を上下に仕切る仕切り部としての仕切り板８を設け、下側の空間に錘３を収容するとともに、上側の空間に植栽部９を設けてある。
【００１６】
説明を加えると、下方に向かうほど径が小さくなる略円柱状の容器４の底部４ａに、バネとオイルダンパーとからなるサスペンション７を介して前後一対の車輪５が防振支持されている。尚、サスペンション７は、バネ等の剛性要素とオイルダンパー等の減衰要素とを並列して構成したものだけでなく、剛性要素のみや、減衰要素のみで構成したり、剛性要素と減衰要素を複数組み合わせて構成してもよい。容器４の側部４ｂに突起１０が設けられ、その突起１０にて仕切り板８が支持されている。そして、仕切り板８と容器４とで囲まれる下側の空間に複数の錘８が収容され、仕切り板８に鉢植えと観葉植物とからなる植栽部９が載置されている。
【００１７】
これにより、床上の人間が容器４を横に押すと、容器４に設けた車輪５が床Ａ上を移動するので、床を施工した後、あるいは、床に設置された収納棚、オフィス家具、エアコンなどの重量物のレイアウトを変更したり重量物を撤去した後であっても、振動低減機構Ｂを簡単に移動・撤去できる。また、フットロック６を踏み込んで容器４を床Ａに対して位置固定することにより、振動低減機構Ｂを簡単に設置できる。さらに、容器内４の錘３の数を増減することにより重量をきめ細かく調節できるので、振動低減機構Ｂの防振効果を発揮し易くなる。
【００１８】
〔別実施の形態〕
（１）上記実施の形態では、重量調節物Ｃが錘３であり、支持体が錘３を内部に収容する容器４である構成を例示したが、このような構成に代えて、重量調節物Ｃが液体であり、支持体が液体を内部に貯留する容器である構成としてもよい。
【００１９】
（２）上記実施の形態では、振動吸収体が容器４と車輪５との間に配設される構成を例示したが、このような構成に限られるものではなく、振動吸収体が容器４と車輪５における建物の床Ａに設置する部分との間で振動を吸収する構成としてもよい。具体的には、車輪の外周部に設けられたタイヤがその接地部分と容器４との間で振動を吸収する構成としてもよい。
【００２０】
（３）上記実施の形態では、上側の空間に植栽部９を設ける構成を例示したが、植栽部９に限られるものではなく、花瓶等の置物であってもよい。
【図面の簡単な説明】
【００２１】
【図１】建物の床の振動低減機構を設けた構成を示す図
【図２】振動低減機構の部分断面側面図
【符号の説明】
【００２２】
３          錘
４          支持体、容器
５          移動手段
６          係止手段
７          振動吸収体、サスペンション
８          仕切り部
９          植栽部
Ａ          建物の床
Ｂ          振動低減機構
Ｃ          重量調節物
【図１】
2009264023.tif 000003
【図２】
2009264023.tif 000004